(57)【要約】      （修正有）【課題】より均一に分配された空気流を提供するとともに、設置面積を低減できる空調システムの室外機を提供する。【解決手段】空調システムの室外機２００が、ほぼ花の形状の外形を有し、室外機のトップパネル２１７は、ほぼ六角形の形状を有する。室外機は、２つのコイル支持フレーム２１２Ｌ，２１２Ｒを有し、これらのコイル支持フレームは、互いにほぼ向き合っている２つのコイル２３０を支持する。２つのコイル支持フレームは、底部パネル２１５とトップパネル２１７との間に延在し、且つ、底部パネルからトップパネルへと外側に拡がっている。コイル２３０の各々は、斜めに配置された２つのコイルセクション２３０ａ，２３０ｂを有する。【選択図】図２Ｄ
0003199864.tif 000002
【実用新案登録請求の範囲】
【請求項１】
空調システムの室外機のためのハウジングであって、
底部パネル及びトップパネルと、
前記底部パネルと前記トップパネルとの間に延在し、且つ、前記底部パネルから前記トップパネルへと外側に拡がるように延在する第１のコイル支持フレーム及び第２のコイル支持フレームとを備え、
前記第１のコイル支持フレーム及び第２のコイル支持フレームの各々が、前記底部パネルと前記トップパネルと共に２つの支持面を画成し、前記第１のコイル支持フレーム及び第２のコイル支持フレームの各々の前記２つの支持面が、長手方向において互いに斜めの関係にある、ハウジング。
【請求項２】
前記第１のコイル支持フレーム及び前記第２のコイル支持フレームの各々の前記２つの支持面が、長手方向において互いに隣り合っており、且つ、前記長手方向において、１８０度よりも小さい角度を形成している、請求項１に記載のハウジング。
【請求項３】
前記第１のコイル支持フレームと前記第２のコイル支持フレームとが、前記ハウジングの対向する側にある、請求項１に記載のハウジング。
【請求項４】
前記ハウジングのトップパネルが六角形の形状である、請求項１に記載のハウジング。
【請求項５】
前記第１のコイル支持フレーム及び前記第２のコイル支持フレームの各々の前記２つの支持面が、前記六角形の形状のトップパネルの隣り合う２つの辺を占めている、請求項４に記載のハウジング。
【請求項６】
前記ハウジングの底部パネルが六角形の形状であり、前記第１のコイル支持フレーム及び前記第２のコイル支持フレームの各々が、前記六角形の形状の底部パネルの２つの辺を占めている、請求項１に記載のハウジング。
【請求項７】
前記底部パネルが圧縮機を支持するように構成されており、且つ、前記トップパネルがファンを支持するように構成されている、請求項１に記載のハウジング。
【請求項８】
空調システムの室外機であって、
底部パネル、トップパネル、第１のコイル支持フレーム、及び、第２のコイル支持フレームを有するハウジングと、
前記第１のコイル支持フレームにより支持された、第１のコイルセクション及び第２のコイルセクションと、
前記第２のコイル支持フレームにより支持された第３のコイルセクション及び第４のコイルセクションとを備え、
前記第１のコイルセクションと前記第２のコイルセクションとが、長手方向において互いに対して斜めに配置され、且つ、前記第３のコイルセクションと前記第４のコイルセクションとが、前記長手方向において互いに対して斜めに配置され、且つ、前記第１のコイル支持フレーム及び前記第２のコイル支持フレームが、前記底部パネルから前記トップパネルまで、鉛直方向において外側に拡がるように延在している、空調システムの室外機。
【請求項９】
前記第１のコイルセクションと前記第２のコイルセクションとが前記長手方向において互いに隣り合っており、且つ、前記第３のコイルセクションと前記第４のコイルセクションとが前記長手方向において互いに隣り合っている、請求項８に記載の空調システムの室外機。
【請求項１０】
前記第１のコイルセクションと前記第２のコイルセクションとが、及び、前記第３のコイルセクションと前記第４のコイルセクションとが、前記長手方向において１８０度よりも小さい角度を形成している、請求項８に記載の空調システムの室外機。
【請求項１１】
前記ハウジングのトップパネルが六角形の形状であり、前記第１のコイル支持フレーム及び前記第２のコイル支持フレームの各々が、六角形の形状のトップパネルの隣り合う２つの辺に対応している、請求項８に記載の空調システムの室外機。
【請求項１２】
前記ハウジングの底部パネルが六角形の形状であり、前記第１のコイル支持フレーム及び前記第２のコイル支持フレームの各々が、六角形の形状の底部パネルの隣り合う２つの辺に対応している、請求項８に記載の空調システムの室外機。
【請求項１３】
前記底部パネルが圧縮機を支持するように構成されており、且つ、前記トップパネルがファンを支持するように構成されている、請求項８に記載の空調システムの室外機。
【考案の詳細な説明】
【技術分野】
【０００１】
本明細書中に開示される実施形態は、概して、暖房、換気、又は空気調和（ＨＶＡＣ）システムに関する。より詳細には、本明細書中に開示される実施形態は、空調システム、例えば、可変水流空調システム又は可変冷媒流空調システムの室外機（屋外ユニット）に関する。
【背景技術】
【０００２】
空調システムは、一般に、建造物の内部空間の温度を制御するように構成される。幾つかの空調システムは、室外機（屋外セクション）及び室内機（屋内セクション）を有するように構成され得る。室外機は、圧縮機（コンプレッサ）、凝縮器（コンデンサ）、及び／又はファンを収容するように構成されることができ、室内機は、ファン、屋内冷却コイル、及び／又はフィルタを収容するように構成され得る。室外機は、一般に、建造物の屋上に、又は、建造物周囲の地面に配置されることができる。
【考案の概要】
【課題を解決するための手段】
【０００３】
空調システムの室外機の実施形態を記載する。前記室外機は、ほぼ花の形状の(flower-shaped)外形を有するように構成され得る。前記室外機のハウジングは、コイル、例えば凝縮器コイルを支持するように構成されたコイル支持フレームを有するように構成され得る。幾つかの実施形態において、前記コイルは、互いにほぼ向き合うように、且つ、前記室外機の底部パネルからトップパネルまで外側に拡がって延在するように構成され得る。
【０００４】
幾つかの実施形態において、前記コイルの各々は、長手方向において互いに対して斜めに配置された２つのコイルセクションを有するように構成され得る。幾つかの実施形態において、前記トップパネルは、上方から見たときに六角形の形状を有するように構成され得る。幾つかの実施形態において、前記コイルセクションは、１つのコイルの前記コイルセクションが前記六角形の形状の隣り合う２つの辺に対応するように構成され得る。
【０００５】
前記花の形状の室外機は、前記コイルを通って流れる、より均一に分配された空気流を提供することを補助し得る。また、前記花の形状の室外機は、複数の室外機を互いに隣り合わせて配置した場合に、隣り合う室外機間の空気流を補助し得る。また、前記花の形状の室外機は、室外機の設置面積を低減することを補助し得る。
【図面の簡単な説明】
【０００６】
【図１】様々な室内機に接続されることができる室外機の一実施形態の概略図である。
【図２Ａ】室外機の一実施形態の側面図である。
【図２Ｂ】室外機の一実施形態の端面図である。
【図２Ｃ】室外機の一実施形態の上面図である。
【図２Ｄ】室外機の一実施形態の斜視図である。
【図３】室外機の別の実施形態の上面図である。
【図４】室外機のさらに別の実施形態の上面図である。
【図５】複数の室外機を有する一実施形態の斜視図である。
【図６Ａ】異なる２つの室外機を比較した数値流体力学モデリングの結果を示す図であり、２つの異なる室外機の実施形態の一方を示す。
【図６Ｂ】異なる２つの室外機を比較した数値流体力学モデリングの結果を示す図であり、２つの異なる室外機の実施形態の他方を示す。
【図６Ｃ】異なる２つの室外機を比較した数値流体力学モデリングの結果を示す図であり、図６Ａ及び図６Ｂに示したような室外機を比較した数値流体力学モデリングの結果を示す。
【考案を実施するための形態】
【０００７】
空調システムは、一般に、屋内空間の温度を制御するように構成される。空調システムは様々な構造を有し得る。１つの構造において、空調システムは、室外機及び室内機を有するように構成されることができる。室外機は、圧縮機（コンプレッサ）、凝縮器（コンデンサ）、及び／又はファンを収容するように構成されることができる。室外機は、建造物の屋上に、又は、建造物周囲の地面に配置され得る。ファンは、凝縮器と周囲環境との間の熱交換を促進するように、空気を凝縮器に通して循環させるように構成され得る。
【０００８】
例示的な実施形態に関する以下の説明において、空調システムの室外機の実施形態を記載する。幾つかの実施形態において、前記室外機は、底部パネルからトップパネルへと外側に拡がるように延在するほぼ花の形状の外形を有するように構成され得る。室外機のトップパネルは、上方から見たときにほぼ六角形の形状を有するように構成され得る。室外機は、コイル支持フレームを有するように構成されることができ、これらのコイル支持フレームは、互いにほぼ向き合っている２つのコイルを支持するように構成され得る。コイルの各々は、互いに対して斜めに配置された２つのセクションを有するように構成され得る。花の形状の室外機は、コイルをわたって流れる、より均一に分配された空気流を形成することを補助し得る。動作において、花の形状の複数の室外機を互いに隣り合わせて設置する場合、花の形状の室外機は、隣り合う室外機の間に、空気流を通過させる空間を提供可能である。
【０００９】
本考案（発明）の一部を形成している添付図面を参照する。添付図面において、実施形態が実施され得る例が示されている。詳細な説明にて記載されている寸法は例示的であり、変更できる。本明細書中に用いられる用語は、図面及び実施形態を記載するためのものであり、本出願の範囲を限定するものと見なされるべきではないことが理解されよう。
【００１０】
図１は、室外機１００及び室内機（単数又は複数）１５０を有する空調システムの一実施形態を示す。室外機１００は、一般に、室外機ハウジング１１０、圧縮機１２０、コイル（単数又は複数）１３０、及び、ファン（単数又は複数）１４０を有する。室外機は、一般に、気相状態の冷媒を圧縮し、この圧縮された冷媒を冷却して液体にするように構成されている。液体状の冷媒は、室内機１５０（単数又は複数）に流れ込む。
【００１１】
室内機１５０（単数又は複数）は、様々な構造であり得る。幾つかの構造が図１に示されている。室内機（単数又は複数）は、壁取付け型ユニット１５０ａ、天井取付け型ユニット１５０ｂ、及び／又は、換気ダクト１５０ｃであり得る。室内機（単数又は複数）１５０は、室内空気と冷媒との間の熱交換を容易にするように構成されている。
【００１２】
図２Ａ〜図２Ｄは、室外機２００の一実施形態の様々な図を示す。図２Ａは側面図である。図示されているように、側面図は、ほぼ矩形であり、高さＨ１及び長さＬ１を有する。一実施形態において、高さＨ１は、例えば、約１５５０ｍｍであり、長さＬ１は、例えば、約１３８０ｍｍである。室外機２００は、ハウジング２１０を有する。ハウジング２１０は、コイル支持体２１２を有するように構成されており、コイル支持体２１２は、コイル支持フレーム２１２Ｌ及び２１２Ｒを有するように構成されている。コイル支持フレーム２１２Ｌ及び２１２Ｒは、コイル（例えば凝縮器コイル）２３０を支持するように構成されており、コイル２３０は、２つのコイルセクション、すなわち、第１のセクション２３０ａ及び第２のセクション２３０ｂを有するように構成されている。これらの２つのコイルセクション、すなわち、第１のセクション２３０ａと第２のセクション２３０ｂとは、幾つかの例において、ほぼ同一の寸法を有するように構成される。第１セクション２３０ａと第２セクション２３０ｂとは、冷媒が第１セクション２３０ａと第２セクション２３０ｂとの間を流れることが可能なように互いに流体連通している。コイル２３０は、一般に、高さＨ３を有する。一実施形態において、高さＨ３は、例えば、約１３００ｍｍである。図２Ａが、室外機２００の一方の側面のみの図を示していることに留意されたい。図示されている側面とは反対側の側面も、図２Ａに示されている構造と同様の構造を有し得る。
【００１３】
ハウジング２１０は、ハウジング２１０のトップ（頂部）パネル（図２Ｂに番号２１７で示す）上に配置されたファンガード（単数又は複数）２１３を有する。ファンガード（単数又は複数）２１３を含むハウジング２１０は、高さＨ２を有する。一実施形態において、高さＨ２は、約１７００ｍｍである。
【００１４】
図２Ｂは、室外機２００の端面図である。室外機２００の内部空間を、より明確に図示するために、室外機２００のエンド（端部）パネルが取り外されている。室外機２００のハウジング２１０は、コイル支持体２１２を有するように構成され得る。
【００１５】
ハウジング２１０は、底部パネル２１５及びトップパネル２１７を有する。底部パネル２１５は、室外機２００の幾つかの部品（例えば、室外機２００の内部空間に配置された圧縮機２２０）を支持するように構成されている。トップパネル２１７は、ファンガード（単数又は複数）２１３及びファン２４０を支持するように構成されている。端面図に見られるように、底部パネル２１５は、幅Ｗ１を有し、トップパネル２１７は、幅Ｗ２を有する。一般に、幅Ｗ１は幅Ｗ２よりも小さい。一実施形態において、幅Ｗ１は、約８００ｍｍであり、幅Ｗ２は約１０４０ｍｍである。
【００１６】
図２Ｂに示されているように、コイル支持体２１２とコイル２３０とは、底部パネル２１５とトップパネル２１７との間にほぼ鉛直方向に延在し、且つ、底部パネル２１５からトップパネル２１７へと、それぞれ、底部パネル２１５に対して垂直な鉛直方向Ｖ１にて外側に拡がっている。外側に拡がるように延在するコイル支持体２１２は、それぞれコイル２３０を支持する支持面Ｓ１及びＳ２を提供可能である。支持面Ｓ１及びＳ２は、底部パネル２１５からトップパネル２１７まで鉛直方向Ｖ１に延在し、且つ、外側に傾斜している。外側に傾斜した支持面Ｓ１及びＳ２は、鉛直方向Ｖ１に対して角度α１及び角度α２を有する。角度α１と角度α２とは、ほぼ同一であるように構成されることができる。角度α１及び角度α２は、約０度〜約９０度の範囲であり得る。一実施形態において、角度α１及び角度α２は、約８度である。外側に拡がるように延在するコイル支持体２１２及びコイル２３０は、トップパネル２１７付近の領域にてファン２４０（及び／又はファンガード２１３）とコイル２３０との間に、より多くの空間を形成することを補助し得る。
【００１７】
トップパネル２１７は、ファンガード２１３の寸法にほぼ適合した穴（図示せず）を有し得る。ファンガードは、幅Ｗ３を有する。一実施形態において、幅Ｗ３は、約６１０ｍｍである。
【００１８】
図２Ｃを参照すると、室外機２００の上面図が示されている。上方からみると、室外機２００は、ほぼ六角形状のトップパネル２１７を有する。室外機２００は、２つのコイル２３０を有する。これらの２つのコイル２３０は、互いにほぼ面するように構成されている。コイル２３０の各々が、２つのセクション、例えば、コイルセクション２３０ａ及び２３０ｂを有するように構成されている。長さＬ１により画定される長手方向において、２つのコイルセクション２３０ａと２３０ｂは、互いに対して斜めに配置されている。本明細書における用語「互いに対して斜め（に）」(“diagonal(ly) in relation to each other”)、「斜めに配置されている」(“diagonally positioned”)とは、概して、２つの隣り合うコイルセクション（例えば、２３０ａと２３０ｂ）が、特に上面図（例えば図２Ｃ）に見られるように、長さＬ１により画定された長手方向に沿って、ハウジング２１０の内部空間から離れる方向に頂点が向いている角度（すなわち、以下に記載する角度β）を形成するように配置されることを意味する。
【００１９】
図２Ｃに示されているように、２つのコイル２３０は、互いにほぼ向き合っている。２つのコイル２３０の各々の２つのコイルセクション（例えば、コイル２３０の一方のコイルセクション２３０ａと２３０ｂと）が斜めに配置されているため、向き合っている２つのコイル２３０の、長さＬ１に対して垂直な距離Ｄ２は、長さＬ１の中間部分に向かって、より大きくなっている。
【００２０】
コイル２３０の各セクションは、六角形状の上部外形(top profile)の一辺にほぼ対応している。図示されている実施形態において、例えば、各コイル２３０は、六角形状の上部外形の隣り合う２つの辺に対応している。コイルセクション２３０ａ及び２３０ｂは、コイル支持体２１２のコイル支持フレーム２１２Ｌ及び２１２Ｒにより提供される支持面により支持されている。例えば、第１セクション２３０ａ及び第２セクション２３０ｂは、それぞれ、支持面Ｓ３及びＳ４（それぞれ、コイル支持フレーム２１２Ｌ及び２１２Ｒにより画成されている）により支持されている。図示されているように、第１セクション２３０ａと第２セクション２３０ｂとは、互いに対して斜めに配置されている。２つの支持面Ｓ３と支持面Ｓ４とが角度βを形成している。角度βは、９０度〜１８０度の範囲にあり得る。一実施形態において、角度βは、例えば、約１７２度である。
【００２１】
図２Ｄは、室外機２００の斜視図である。図示し、且つ先に述べたように、底部パネル２１５もまた六角形状であるように構成されており、この形状は、一般に、六角形状のトップパネル２１７よりも小さい。拡がるように延在するコイル支持フレーム２１２、コイル２３０、並びに／又は、六角形状のトップパネル２１７及び底部パネル２１５が、花の形状に類似した室外機２００の外形を形成している。コイル支持フレーム２１２の一方が、２つのコイル支持面Ｓ３及びＳ４（それぞれ、支持フレーム２１２Ｒ及び２１２Ｌにより画成される）を形成できる。コイル支持面Ｓ３とコイル支持面Ｓ４とは、互いに対して斜めに配置される。２つのコイル支持面Ｓ３及びコイル支持面Ｓ４は、各々、コイル２３０の一方のセクション、例えば、第１のセクション２３０ａ又は、第２のセクション２３０ｂを、それぞれ支持する。第１のセクション２３０ａと第２のセクション２３０ｂとは、互いに対して斜めに配置される。２つのコイル２３０は、室外機２００の内部空間（圧縮機２２０、及び／又は、室外機２００のその他の部品などを収容するように構成されている）を取り囲んでいる。
【００２２】
図２Ａ〜図２Ｄに示されている実施形態において、トップパネル２１７は、２つのファン２４０を収容するように構成されている。これは例示的である。トップパネルは、２つよりも多数又は少数のファンを収容するように構成され得る。図３に示されているように、一実施形態において、トップパネル３１７は、３つのファン３４０を収容するように構成され得る。幾つかの実施形態において、トップパネルは、１つのファンのみを収容するように構成され得る。
【００２３】
トップパネルは、六角形状以外の形状を有するように構成されることができる。例えば、図４に示されているように、幾つかの実施形態において、トップパネル４１７は、ほぼ八角形状であるように構成されることができる。コイル支持フレーム４１２は、斜めに配置された２つのセクション４１２Ｌと４１２Ｒとの間の遷移部４１８を有するように構成され得る。
【００２４】
図５に示されているように、動作において、類似の構造を有する花の形状(flower-shaped)の複数の室外機、例えば５００ａ、５００ｂ及び５００ｃを、互いに近接して配置できる。コイル５３０ａ、５３０ｂ−１、５３０ｂ−２及び５３０ｃの各々は、例えば、図２Ａ〜図２Ｄに示されているような、斜めに配置された２つのコイルセクションを有するように構成される。隣り合う室外機の、斜めに配置されたコイルセクション、例えば、５３０ａと５３０ｂ−１は、隣り合う室外機、例えば、５００ａと５００ｂとの間に空間を提供可能である。
【００２５】
さらに、コイル５３０ａ、５３０ｂ−１、５３０ｂ−２及び５３０ｃは、それぞれ、室外機５００ａ、５００ｂ及び５００ｃの上部に向かって外側へ傾斜している。これは、特に、室外機５００ａ、５００ｂ及び５００ｃの底部に向かって隣り合うコイル５３０ａ、５３０ｂ−１、５３０ｂ−２及び５３０ｃの間の空間を増大することを補助する。
【００２６】
斜めに配置され且つ外側に傾斜しているコイルセクションは、隣り合うコイル間の空間の増大を補助できる。この空間は、矢印ａ１及び矢印ａ２で示されているような、隣り合うコイル間の空間への空気流の流入の促進を補助できる。これは、コイル５３０ａ、５３０ｂ−１、５３０ｂ−２及び５３０ｃの熱交換効率の増大を補助できる。
【００２７】
実験データ
図６Ａ〜図６Ｃは、室外機の実施形態６００ａ及び６００ｂの高さに沿ったコイルを通って流れる空気流の速度をシミュレーションするための数値流体力学モデリングプロセスを示す。図示されているように、図６Ａは、斜めに配置され且つ外側に拡がるように延在するコイル６３０ａを有するように構成された、花の形状の室外機６００ａを示す。図６Ｂは、斜めに配置されたコイル６３０ｂを有するように構成された室外機６００ｂ示す。しかし、コイル６３０ｂは、その全体が、図６Ａに示したコイル６３０ａのように外側に拡がるように延在しない。室外機６００ａのコイル６３０ａは、長さＬ６を有し、長さＬ６は、室外機６００ｂのコイル６３０ｂの長さＬ７とほぼ同一である。室外機６００ａは、底幅Ｗ７ａを有し、底幅Ｗ７ａは、室外機６００ｂの底幅Ｗ７ｂとほぼ同一である。室外機６００ａは、上幅Ｗ８ａを有し、上幅Ｗ８ａは、室外機６００ｂの上幅Ｗ８ｂよりも大きい。この、上幅Ｗ８ｂに比較してより大きい上幅Ｗ８ａは、外側に拡がるように延在するコイル６３０によるものである。室外機６００ａ及び室外機６００ｂの部品、例えば、ファン、圧縮機などは、類似の仕様を有するように構成される。
【００２８】
図６Ｃは、室外機６００ａの高さＨ７ａに沿った、及び、室外機６００ｂの高さＨ７ｂに沿った空気速度のシミュレーションを示す。高さＨ７ａは高さＨ７ｂよりもほぼ短い。なぜなら、コイル６３０ａが外側に拡がるように延在しているからである。図６Ｃにおいて、横軸は、平均空気速度（メートル／秒）（ｍ／ｓ）である。縦軸は、測定位置の高さを、高さＨ７ａ又は高さＨ７ｂにおける高さの割合で示している。
【００２９】
図６Ｃに示されているように、室外機６００ａにおいて、最小空気速度は、室外機６００ａの底部付近での約１ｍ／ｓであり、最大空気速度は、室外機６００ａの頂部付近での約２ｍ／ｓである。室外機６００ａにおいて、最小空気速度と最大空気速度との差は、約１ｍ／ｓである。これと比較して、室外機６００ｂの最小空気速度は、底部付近での約１ｍ／ｓであり、一方、最大空気速度は、室外機６００ｂの頂部付近での約２．５ｍ／ｓである。室外機６００ｂの最小空気速度と最大空気速度との差は約１．５ｍ／ｓであり、これは、室外機６００ａにおける差（１ｍ／ｓ）よりも約５０％大きい。従って、室外機６００ａの、高さＨ７ａに沿った空気速度の分布は、室外機６００ｂの、高さＨ７ｂに沿った空気速度の分布よりも均一である。室外機６００ａの頂部付近の空気速度が室外機６００ｂの空気速度と比較して低下するのは、外側に拡がるように延在しているコイル６３０ａが、室外機６００ａの頂部付近でファンとコイルとの間に、室外機６００ｂの頂部付近の空間よりも大きい空間を形成することによるものであろう。
【００３０】
上記の説明に関し、詳細における変更が、特には、用いられる構成材料、形状、寸法、及び、部品の配置に関して、本考案（発明）の範囲から逸脱せずに行われ得ることが理解されよう。仕様及び記載された実施形態が例示的なものに過ぎず、本考案（発明）の真の範囲及び趣旨は、特許請求の範囲における広い意味により示されものとする。
【符号の説明】
【００３１】
１００  室外機
１１０  ハウジング
１３０  コイル
１４０  ファン
１５０  屋内ユニット、室内機
１５０ａ  壁取付け型ユニット
１５０ｂ  天井取付け型ユニット
１５０ｃ  換気ダクト
２００  室外機
２１０  ハウジング
２１２  コイル支持体
２１２Ｌ  コイル支持フレーム
２１２Ｒ  コイル支持フレーム
２１３  ファンガード
２１５  底部パネル
２１７  トップパネル
２２０  圧縮機
２３０  コイル
２３０ａ  第１のコイルセクション
２３０ｂ  第２のコイルセクション
２４０  ファン
６００ａ  室外機
６００ｂ  室外機
６３０ａ  コイル
６３０ｂ  コイル
Ｈ１  高さ
Ｈ２  ハウジングの高さ
Ｈ３  コイルの高さ
Ｈ７ａ  室外機の高さ
Ｈ７ｂ  室外機の高さ
Ｌ１  長さ
Ｄ２  距離
Ｓ１  支持面
Ｓ２  支持面
Ｓ３  支持面
Ｓ４  支持面
Ｖ１  鉛直方向
Ｗ１  底部パネルの幅
Ｗ２  トップパネルの幅
【図１】
0003199864.tif 000003
【図２Ａ】
0003199864.tif 000004
【図２Ｂ】
0003199864.tif 000005
【図２Ｃ】
0003199864.tif 000006
【図２Ｄ】
0003199864.tif 000007
【図３】
0003199864.tif 000008
【図４】
0003199864.tif 000009
【図５】
0003199864.tif 000010
【図６Ａ】
0003199864.tif 000011
【図６Ｂ】
0003199864.tif 000012
【図６Ｃ】
0003199864.tif 000013